(57)【要約】      （修正有）【課題】広画角で、良好に像面湾曲補正がなされ、明るく、開口効率が周辺部まで１００％に近く、緒収差が補正され高空間周波数領域で高コントラスト、低コストで小型な読取レンズを提供する事。【解決手段】読取レンズは、凸面を向け正メニスカスレンズＬ１の第１群、凸面を向け正メニスカスレンズＬ２と凸面を向け負メニスカスレンズＬ３が接合され負の屈折力の第２群、絞り、負レンズＬ４と正レンズＬ５が接合され負の屈折力の第３群、凹面を向け正メニスカスレンズＬ６の第４群を順に備え、適切に設定された条件を満足する。【選択図】図１
2012128161.tif 000002
【特許請求の範囲】
【請求項１】
物体側から順に、物体側に凸面を向けて配置された正メニスカスレンズの第１レンズからなる第１群、物体側に凸面を向けて配置された正メニスカスレンズの第２レンズと物体側に凸面を向けて配置された負メニスカスレンズの第３レンズが接合された全体で負の屈折力を有する第２群、負レンズの第４レンズと正レンズの第５レンズが接合された全体で負の屈折力を有する第３群、及び、物体側に凹面を向けて配置された正メニスカスレンズの第６レンズからなる第４群、を備えた４群６枚構成であり、
前記第２群と前記第３群との間に絞りを備え、
下記式（１）乃至（４）のいずれも満足することを特徴とする、読取レンズ。
但し、ｆ１は第１群のｅ線の焦点距離を表し、ｆ２３は第２群と第３群のｅ線の合成焦点距離を表し、ｆは全系のｅ線の合成焦点距離を表し、ｎ凸は正レンズのｄ線の屈折率の平均を表し、ｎ凹は負レンズのｄ線の屈折率の平均を表し、ν凸は正レンズのアッベ数の平均を表し、ν凹は負レンズのアッベ数の平均を表す。
０．６    ＜  ｆ１／ｆ    ＜    ０．９  ・・・式（１）
−１．２    ＜  ｆ２３／ｆ  ＜  −０．９  ・・・式（２）
−０．０８  ＜  ｎ凸−ｎ凹  ＜  −０．１  ・・・式（３）
２３．０  ＜  ν凸−ν凹  ＜  ３０．０  ・・・式（４）
【請求項２】
前記第４レンズが両凹レンズであり、
前記第５レンズが両凸レンズであることを特徴とする、請求項１に記載の読取レンズ。
【請求項３】
前記第４レンズが物体側に凸面を向けて配置された負メニスカスレンズであり、
前記第５レンズが物体側に凸面を向けて配置された正メニスカスレンズであることを特徴とする、請求項１に記載の読取レンズ。
【請求項４】
前記第１乃至第６レンズが全てガラスレンズであり、いずれも鉛及び砒素を含有しないことを特徴とする、請求項１乃至３のいずれか１項に記載の読取レンズ。
【請求項５】
原稿を照明する照明系と、
前記照明系で照明された前記原稿の反射光を縮小結像させる結像レンズと、
前記結像レンズで結像された前記原稿の像を光電変換するラインセンサと、を備え、
前記結像レンズは、請求項１乃至４のいずれか１項に記載の読取レンズであることを特徴とする、画像読取装置。
【請求項６】
前記照明系から前記ラインセンサまでの任意の光路内に色分解機能を有する色分解手段を備え、前記原稿の情報をフルカラーで読み取ることを特徴とする、請求項５に記載の画像読取装置。
【請求項７】
請求項５または６に記載の画像読取装置を具備することを特徴とする、画像形成装置。
【発明の詳細な説明】
【技術分野】
【０００１】
本発明は読取レンズ、並びに、該読取レンズを備える画像読取装置及び画像形成装置に関する。
また、この読取レンズはファクシミリやデジタル複写機の原稿読取部や各種のイメージスキャナに利用できる。
【背景技術】
【０００２】
ファクシミリやデジタル複写機の画像読取装置は、読み取るべき画像情報を読取用レンズで縮小してＣＣＤのような固体撮像素子上に結像させて画像情報を信号化する。また原稿情報をカラーで読み取るため、例えば赤、緑、青のフィルタを持った受光素子が１チップに３列に配列されている、所謂３ラインＣＣＤを用い、この受光面に原稿像を結像させることにより３原色に色分解し、カラー画像情報を信号化する光学系が画像読取装置に用いられている。
【０００３】
このような読取用レンズでは、一般に像面において高空間周波数領域での高いコントラストが要求されると共に、カラー原稿を良好に読み取るためには、受光面上で赤、緑、青の各色の結像位置を光軸方向に合致させるために各色の色収差を良好に補正する必要があり、また、開口効率が画角周辺部まで１００％近くある事が要求されている。更に、スキャナ光学系の省エネに対応するため、できるだけ明るい大口径な読取レンズが望まれている。
【０００４】
従来、このような読取用レンズとして４群６枚構成のガウスタイプが用いられている。ガウスタイプは、大口径にしてもコマフレアの発生を小さく抑えられるタイプであるが、半画角としては、大多数のものが１８゜程度となっている。ガウスタイプの中でも比較的広画角なものとして、特開平６−３４２１２０号公報（特許文献１）に記載、特開平８−１４６２９２号公報（特許文献２）に記載、特許２７２９０３９号公報（特許文献３）に記載、特開平９−１７１１３６号公報（特許文献４）に記載や特開平９−３０４６９６号公報（特許文献５）に記載の発明が開示されているが、最も画角の広いものでも、２０゜程度までが限界で、読取装置の小型化の要望に対して限界がある。
【０００５】
ガウスタイプ以外の読取レンズとして、ガウスタイプと同じ４群６枚構成の変形クセノタタイプとして、特開平１０−３３３０２９号公報（特許文献６）に記載の発明が開示されている。この発明においても、半画角が１７．６゜と狭く、ガウスタイプと同様に画像読取装置の小型化の要望に対し、十分に満足できない。
【発明の概要】
【発明が解決しようとする課題】
【０００６】
そこで、本発明は上記したような従来技術における問題を鑑みて為された発明であって、半画角が２３゜を越える広画角で有りながら、良好に像面湾曲補正がなされ、Ｆナンバが５．２程度と明るく、開口効率が周辺部まで１００％に近く、かつ緒収差も良好に補正され高空間周波数領域で高いコントラストを有し、フルカラー読み取りにも対応可能で、小型で低コストな読取レンズ、並びに、該読取レンズを備える画像読取装置及び画像形成装置を提供することを目的とする。
またさらに本発明は、上記に加えてさらに、全てのレンズを化学的に安定で鉛や砒素等の有害物質を含まない光学ガラスで構成することにより、材料のリサイクル化が可能で、加工時の廃液による水質汚染の無い地球環境を考慮した、読取レンズ、並びに、該読取レンズを備える画像読取装置及び画像形成装置を提供することを目的とする。
【課題を解決するための手段】
【０００７】
上記課題を解決するために本発明に係る読取レンズ、並びに、該読取レンズを備える画像読取装置及び画像形成装置は、具体的には下記（Ｉ）〜（VII）に記載の技術的特徴を有する。
【０００８】
（Ｉ）：物体側から順に、物体側に凸面を向けて配置された正メニスカスレンズの第１レンズからなる第１群、物体側に凸面を向けて配置された正メニスカスレンズの第２レンズと物体側に凸面を向けて配置された負メニスカスレンズの第３レンズが接合された全体で負の屈折力を有する第２群、負レンズの第４レンズと正レンズの第５レンズが接合された全体で負の屈折力を有する第３群、及び、物体側に凹面を向けて配置された正メニスカスレンズの第６レンズからなる第４群、を備えた４群６枚構成であり、前記第２群と前記第３群との間に絞りを備え、下記式（１）乃至（４）のいずれも満足することを特徴とする、読取レンズである。
但し、ｆ１は第１群のｅ線の焦点距離を表し、ｆ２３は第２群と第３群のｅ線の合成焦点距離を表し、ｆは全系のｅ線の合成焦点距離を表し、ｎ凸は正レンズのｄ線の屈折率の平均を表し、ｎ凹は負レンズのｄ線の屈折率の平均を表し、ν凸は正レンズのアッベ数の平均を表し、ν凹は負レンズのアッベ数の平均を表す。
０．６    ＜  ｆ１／ｆ    ＜    ０．９  ・・・式（１）
−１．２    ＜  ｆ２３／ｆ  ＜  −０．９  ・・・式（２）
−０．０８  ＜  ｎ凸−ｎ凹  ＜  −０．１  ・・・式（３）
２３．０  ＜  ν凸−ν凹  ＜  ３０．０  ・・・式（４）
【０００９】
上記（Ｉ）に記載の構成によれば、レンズの構成枚数を６枚構成とし、上記式（１）〜（４）をいずれも満足することで、半画角が約２３゜を超える広画角において、良好に像面湾曲補正がなされ、Ｆナンバを５．２と大口径であるにも関わらず、開口効率が周辺部まで１００％に近く、かつ緒収差も良好に補正され高空間周波数領域で高いコントラストの良好な性能を得ることが可能となるばかりでなく、搭載する機械のサイズを小さく抑えることが可能となり、更に光源の投入電力も少なく抑えることが可能となり、本レンズを使用する機器の小型、省電力化にも大きく寄与出来るものである。
【００１０】
（II）：前記第４レンズが両凹レンズであり、前記第５レンズが両凸レンズであることを特徴とする、上記（Ｉ）に記載の読取レンズである。
【００１１】
（III）：前記第４レンズが物体側に凸面を向けて配置された負メニスカスレンズであり、前記第５レンズが物体側に凸面を向けて配置された正メニスカスレンズであることを特徴とする、上記（Ｉ）に記載の読取レンズである。
【００１２】
上記（II）または（III）に記載の構成によれば、上記（Ｉ）を満足する中で、第４レンズと第５レンズの形状を最適化することで、より良好に各収差を補正することが可能となり、良好な結像性能を有する読取レンズが得られる。
【００１３】
（IV）：前記第１乃至第６レンズが全てガラスレンズであり、いずれも鉛及び砒素を含有しないことを特徴とする、上記（Ｉ）乃至（III）のいずれか１項に記載の読取レンズである。
【００１４】
上記（IV）に記載の構成によれば、全てのレンズを鉛や砒素など有害物質を含まないガラス材料とすることで、リサイクルが容易で、加工時の廃液による水質汚染などを発生させない、地球環境を保全に貢献できる。
【００１５】
（Ｖ）：原稿を照明する照明系と、前記照明系で照明された前記原稿の反射光を縮小結像させる結像レンズと、前記結像レンズで結像された前記原稿の像を光電変換するラインセンサと、を備え、前記結像レンズは、上記（Ｉ）乃至（IV）のいずれか１項に記載の読取レンズであることを特徴とする、画像読取装置である。
【００１６】
上記（Ｖ）に記載の構成によれば、大口径、コンパクトで低コストな上記読取レンズを使用することにより、原稿情報を良好に読み取ることが可能となり、画像読取装置を低消費電力で、かつ非常にコンパクト、低コストにする事が出来る。
【００１７】
（VI）：前記照明系から前記ラインセンサまでの任意の光路内に色分解機能を有する色分解手段を備え、前記原稿の情報をフルカラーで読み取ることを特徴とする、上記（Ｖ）に記載の画像読取装置である。
【００１８】
上記（VI）に記載の構成によれば、上記（Ｖ）の構成に加え光学系に色分解機能を有する画像読取装置において、軸上の色収差が良好に補正されたレンズを用いることで、フルカラーを良好な性能で読み取ることが可能となるため、画像読取装置のより多機能化、高性能化を達成することが出来る。
【００１９】
（VII）：上記（Ｖ）または（VI）に記載の画像読取装置を具備することを特徴とする、画像形成装置である。
【００２０】
上記（VII）に記載の構成によれば、上記読取レンズを使用した画像読取装置を具備する事により、良好な読み取り画像品質を基に画像を形成するため、高画質な画像形成装置が低コストで得られるものである。
【発明の効果】
【００２１】
本発明によれば、半画角が２３゜を越える広画角で有りながら、良好に像面湾曲補正がなされ、Ｆナンバが５．２程度と明るく、開口効率が周辺部まで１００％に近く、かつ緒収差も良好に補正され高空間周波数領域で高いコントラストを有し、フルカラー読み取りにも対応可能で、小型で低コストな読取レンズ、並びに、該読取レンズを備える画像読取装置及び画像形成装置を提供することができる。
【図面の簡単な説明】
【００２２】
【図１】本発明に係る画像読取レンズの一実施の形態の構成を示す概略断面図である。
【図２】実施例１における読取レンズの構成例を示す概略断面図である。
【図３】実施例１における球面収差、非点収差、歪曲収差、及びコマ収差を示す収差曲線図である。
【図４】実施例２における読取レンズの構成例を示す概略断面図である。
【図５】実施例２における球面収差、非点収差、歪曲収差、及びコマ収差を示す収差曲線図である。
【図６】実施例３における読取レンズの構成例を示す概略断面図である。
【図７】実施例３における球面収差、非点収差、歪曲収差、及びコマ収差を示す収差曲線図である。
【図８】実施例４における読取レンズの構成例を示す概略断面図である。
【図９】実施例４における球面収差、非点収差、歪曲収差、及びコマ収差を示す収差曲線図である。
【図１０】本発明に係る画像読取装置の一実施の形態の構成を示す概略断面図である。
【図１１】本発明に係る画像読取装置のその他の実施の形態の構成を示す概略断面図である。
【図１２】本発明に係る画像形成装置の一実施の形態の構成を示す概略断面図である。
【発明を実施するための形態】
【００２３】
〔読取レンズ〕
次に、本発明に係る読取レンズについてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２４】
本発明に係る読取レンズの一実施の形態における概略断面図を、図１に示す。
本発明に係る読取レンズは、物体側から順に、物体側に凸面を向けて配置された正メニスカスレンズの第１レンズ（Ｌ１）からなる第１群、物体側に凸面を向けて配置された正メニスカスレンズの第２レンズ（Ｌ２）と物体側に凸面を向けて配置された負メニスカスレンズの第３レンズ（Ｌ３）が接合された全体で負の屈折力を有する第２群、負レンズの第４レンズ（Ｌ４）と正レンズの第５レンズ（Ｌ５）が接合された全体で負の屈折力を有する第３群、及び、物体側に凹面を向けて配置された正メニスカスレンズの第６レンズ（Ｌ６）からなる第４群、を備えた４群６枚構成であり、前記第２群と前記第３群との間に絞り（８）を備え、下記式（１）乃至（４）のいずれも満足することを特徴とする。
但し、ｆ１は第１群のｅ線の焦点距離を表し、ｆ２３は第２群と第３群のｅ線の合成焦点距離を表し、ｆは全系のｅ線の合成焦点距離を表し、ｎ凸は正レンズのｄ線の屈折率の平均を表し、ｎ凹は負レンズのｄ線の屈折率の平均を表し、ν凸は正レンズのアッベ数の平均を表し、ν凹は負レンズのアッベ数の平均を表す。
【００２５】
０．６    ＜  ｆ１／ｆ    ＜    ０．９  ・・・式（１）
−１．２    ＜  ｆ２３／ｆ  ＜  −０．９  ・・・式（２）
−０．０８  ＜  ｎ凸−ｎ凹  ＜  −０．１  ・・・式（３）
２３．０  ＜  ν凸−ν凹  ＜  ３０．０  ・・・式（４）
【００２６】
上記式（１）は、第１群のパワーを定めるもので、上限を超えると第１群のパワーが弱くなりすぎ、レンズが大きくなってコストアップの原因となる。下限を超えると、レンズのコンパクト化には有利であるが、コマフレアが大きくなってしまう。
【００２７】
上記式（２）は、本発明のレンズ系の負のパワーを有する第２群と第３群の合成パワーを定めるもので、上限を超えると球面収差、像面湾曲共に補正過剰となり、周辺でのコマ収差が悪化してしまう。下限を越えると逆に球面収差、像面湾曲共に補正不足となり、中間画角での非点隔差が増大し、中間画角でのコマ収差が悪化する。
【００２８】
上記式（３）は、本発明の読取レンズを構成する凸レンズと凹レンズの屈折率の範囲を定めるもので、上限を超えると、ペッツバール和が小さくなりすぎ、像面が正の側に倒れ像面湾曲が大きくなる。下限を超えると逆に、ペッツバール和が大きくなりすぎ、像面が負の側に倒れ、非点隔差が大きくなり、この条件の範囲外では、全画面にわたって良好な結像性能を得ることが出来なくなる。
【００２９】
上記式（４）は、軸上の色収差を良好に補正する条件である。上限を超えると軸上の色収差が補正過剰になり主波長より短波長側で軸上の色収差が正の側に大きくなる。下限を超えると軸上の色収差が補正不足になり主波長より短波長側で負の側に軸上の色収差が大きくなってしまう。
【００３０】
本発明では、レンズの構成枚数を６枚構成とし、上記式（１）乃至（４）のいずれも満足することで、半画角が約２３゜を超える広画角において、良好に像面湾曲補正がなされ、Ｆナンバを５．２と大口径であるにも関わらず、開口効率が周辺部まで１００％に近く、かつ緒収差も良好に補正され高空間周波数領域で高いコントラストの良好な性能を得ることが可能となるばかりでなく、搭載する機械のサイズを小さく抑えることが可能となり、更に光源の投入電力も少なく抑えることが可能となり、本読取レンズを使用する機器の小型、省電力化にも大きく寄与出来るものである。
【００３１】
また、本発明では、第４レンズ（Ｌ４）が両凹レンズであり、第５レンズ（Ｌ５）が両凸レンズであることが好ましい。あるいは、本発明では、第４レンズ（Ｌ４）が物体側に凸面を向けて配置された負メニスカスレンズであり、第５レンズ（Ｌ５）が物体側に凸面を向けて配置された正メニスカスレンズであることが好ましい。
これらの形状とすることで第４レンズ（Ｌ４）と第５レンズ（Ｌ５）の形状を最適化することができ、より良好に各収差を補正することが可能となり、良好な結像性能を有する読取レンズが得られる。
【００３２】
さらに、本発明では、第１乃至第６レンズが全てガラスレンズであり、いずれも有害物質である鉛及び砒素、並びにこれらに類するものを含有しないことが好ましい。
全てのレンズを化学的に安定で鉛や砒素等の有害物質を含まない光学ガラスで構成することにより、材料のリサイクル化が可能で、加工時の廃液による水質汚染が無く、省資源化や加工時に発生するＣＯ２等を低減でき、地球環境を考慮した、小型で低コストな読取用レンズとする事が出来る。
【００３３】
次いで、本発明に係る読取レンズのより具体的な実施の形態である実施例１〜４を、数値例と共に以下に示す。
なお、各実施例における記号の意味は下記の通りである。
【００３４】
ｆ                  ：全系のｅ線の合成焦点距離
ＦＮｏ              ：Ｆナンバ
ｍ                  ：縮率
ω                  ：半画角(度)
Ｙ                  ：物体高
ｒｉ(ｉ＝１〜１３)  ：物体側から数えてｉ番目のレンズ面の曲率半径
ｄｉ(ｉ＝１〜１１)  ：物体側から数えてｉ番目の面間隔
ｎｊ(ｊ＝１〜７)    ：物体側から数えてｊ番目のレンズの材料の屈折率
νｊ(ｊ＝１〜７)    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：ＣＣＤカバーガラスの物体側の曲率半径
ｒｃ４              ：ＣＣＤカバーガラスの像側の曲率半径
ｄｃ１              ：コンタクトガラスの肉厚
ｄｃ３              ：ＣＣＤカバーガラスの肉厚
ｎｃ１              ：コンタクトガラスの屈折率
ｎｃ３              ：ＣＣＤカバーガラスの屈折率
νｃ１              ：コンタクトガラスのアッベ数
νｃ３              ：ＣＣＤカバーガラスのアッベ数
ｎｄ                ：ｄ線の屈折率
ｎｅ                ：ｅ線の屈折率
ｆ１                ：第１群のｅ線の焦点距離
ｆ２３              ：第２群と第３群のｅ線の合成焦点距離
ｎ凸                ：正の屈折力を有するレンズのｎｄの平均
ｎ凹                ：負の屈折力を有するレンズのｎｄの平均
ν凸                ：正の屈折力を有するレンズのｎｄの平均
ν凹                ：負の屈折力を有するレンズのｎｄの平均
【００３５】
また、以下に示す収差図において、ｅ線（５４６．０７ｎｍ）、ｇ線（４３６．８３ｎｍ）、ｃ線（６５６．２７ｎｍ）、Ｆ線（４８６．１３ｎｍ）を示し、以下に示す球面収差の図で、波線は正弦条件、非点収差の図で、実線はサジタル光線、点線はメリディオナル光線を示す。
【００３６】
〔実施例１〕
図２に、実施例１における概略構成図を示し、図３に、実施例１における収差図を示す。また、表１に実施例１における数値例、表２に実施例１における前記式（１）乃至（４）の値を示す。
【００３７】
なお、実施例１では、第１レンズＬ１を有する第１群、第２レンズＬ２と第３レンズＬ３とを有する第２群、第４レンズＬ４と第５レンズＬ５とを有する第３群、及び、第６レンズＬ６を有する第４群を具備してなる４群６枚構成であり、第２群と第３群との間に絞り８が配置されてなる読取レンズであり、第１レンズＬ１に対向する位置にコンタクトガラス２が、また、第６レンズＬ６に対向する位置にＣＣＤカバーガラス６Ｓが配置されてなる。
また、これらは後述する実施例２〜４においても同様である。
【００３８】
【表１】
2012128161.tif 000003
【００３９】
【表２】
2012128161.tif 000004
【００４０】
〔実施例２〕
図４に、実施例２における概略構成図を示し、図５に、実施例２における収差図を示す。また、表３に実施例２における数値例、表４に実施例２における前記式（１）乃至（４）の値を示す。
【００４１】
【表３】
2012128161.tif 000005
【００４２】
【表４】
2012128161.tif 000006
【００４３】
〔実施例３〕
図６に、実施例３における概略構成図を示し、図７に、実施例３における収差図を示す。また、表５に実施例３における数値例、表６に実施例３における前記式（１）乃至（４）の値を示す。
【００４４】
【表５】
2012128161.tif 000007
【００４５】
【表６】
2012128161.tif 000008
【００４６】
〔実施例４〕
図８に、実施例４における概略構成図を示し、図９に、実施例４における収差図を示す。また、表７に実施例４における数値例、表８に実施例４における前記式（１）乃至（４）の値を示す。
【００４７】
【表７】
2012128161.tif 000009
【００４８】
【表８】
2012128161.tif 000010
【００４９】
〔画像読取装置〕
本発明に係る画像読取装置は、原稿を照明する照明系と、前記照明系で照明された前記原稿の反射光を縮小結像させる結像レンズと、前記結像レンズで結像された前記原稿の像を光電変換するラインセンサと、を備え、前記結像レンズは、上記した読取レンズであることを特徴とする。大口径、コンパクトで低コストな上記読取レンズを使用することにより、原稿情報を良好に読み取ることが可能となり、画像読取装置を低消費電力で、かつ非常にコンパクト、低コストにする事が出来る。
【００５０】
また、前記照明系から前記ラインセンサまでの任意の光路内に色分解機能を有する色分解手段を備え、前記原稿の情報をフルカラーで読み取ることが好ましい。
照明系からラインセンサまでの光路内（光学系）に色分解機能を有する色分解手段を備える画像読取装置において、軸上の色収差が良好に補正された読取レンズを用いることで、フルカラーを良好な性能で読み取ることが可能となるため、画像読取装置のより多機能化、高性能化を達成することが出来る。
【００５１】
本発明に係る画像読取装置の一実施の形態における構成例を図１０に示す。
図１０において、読取られるべき画像を有する原稿２は「原稿台」としてのコンタクトガラス１上に平面的に定置され、コンタクトガラス１の下部に照明手段３を配置し、照明手段としては図面に直交する方向に長い管灯３Ａ（キセノンランプ、ハロゲンランプ、ＬＥＤ照明系等）、およびリフレクタ３Ｂで構成される照明手段を用い、原稿２において「図面に直交する方向に長いスリット状部分」を照明させる。
原稿２の照明された部分からの反射光（画像による反射光）は、折り返しミラーにより順次反射(本例では、Ｍ１〜Ｍ５の５枚のミラーを配置)され、画像読取レンズ５により、光電変換素子としてのラインセンサ６の撮像面上に原稿画像の縮小像を結像する。
照明手段３、折り返しミラーＭ１〜Ｍ５、画像読取レンズ５および光電変換素子６は、読取光学ユニット７として一体的に保持され、読取光学ユニットが図示されない駆動手段により、矢印方向（図１０の右方）へ走行させられ、「破線で示す位置」まで変位し原稿全体の情報を読み取る。
本例では、折り返しミラー枚数を５枚の例を示したが、折り返しミラーの枚数は何枚でも良いことは、言うまでもない。
【００５２】
本発明に係る画像読取装置のその他の実施の形態における構成例を図１１に示す。
画像読取装置の他の例として、図１１に示すように、原稿（２）は、コンタクトガラス（１）の上に配置され、コンタクトガラスの下部に配置された照明光学系（図示せず）により、原稿が照明される。原稿の照明光は、第１走行体（３）の第１ミラー（３−ａ）により反射され、その後、第２走行体（４）の第２ミラー（４−ａ）と第３ミラー（４−ｂ）で反射され、上記した読取レンズである縮小結像レンズ（５）へ導かれ、縮小結像レンズ（５）によりラインセンサ（６）上に結像される。原稿の長手方向を読み取る場合は、第１走行体（３）がＶの速度で（３’）迄移動し、それと同時に第２走行体（４）が、第１走行体（３）の半分の速度１／２Ｖで、（４’）迄移動し、原稿（２）全体を読み取る。このとき、原稿（２）の照明位置からラインセンサ（６）までの光路長は一定に保たれている。
【００５３】
色分解は、読取レンズ（５）とＣＣＤ（６）との間に色分解プリズムや、フィルタを選択的に挿入しＲ、Ｇ、Ｂに色分解する方法や、例えばＲ、Ｇ、Ｂ光源を順次点灯させ原稿を照明する方法、又は、Ｒ、Ｇ、Ｂのフィルタを持った受光素子が１チップに３列に配列されている、所謂３ラインＣＣＤを用い、この受光面にカラー画像を結像させることにより３原色に色分解する方法などどのような方式でも良い。図１０及び図１１に示す例では、ラインセンサ（６）がＲＧＢそれぞれに対応したフィルタを有する受光素子である（６−Ａ）、（６−Ｂ）、（６−Ｃ）が１チップに３列に配列されてなる３ラインＣＣＤを用いている。
【００５４】
また、結像光路中に色分解素子を有さず、原稿情報をモノクロとして読取ることも可能である。
【００５５】
〔画像形成装置〕
本発明に係る画像形成装置は、上述した本発明の画像読取装置を具備することを特徴とする。
上記読取レンズを使用した画像読取装置を具備する事により、良好な読み取り画像品質を基に画像を形成するため、高画質な画像形成装置が低コストで得られるものである。
【００５６】
本発明に係る画像読取装置の一実施の形態における構成例を図１２に示す。
この画像形成装置は、装置上部に位置する画像読取装置２００と、その下位に位置する「画像形成部」とを有する。画像読取装置２００は、図１０に即して説明した画像読取ユニットを用いたものであり、各部には図１０と同じ符号を付してある。
【００５７】
画像読取装置２００の３ラインのラインセンサ（撮像手段）６から出力される画像信号は画像処理部１２００に送られ、画像処理部１２００において処理されて「書き込み用の信号（イエロー・マゼンタ・シアン・黒の各色を書き込むための信号）」に変換される。
【００５８】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【００５９】
信号処理部１２００から書き込み用の信号を受けて光走査により感光体１１００に書き込みを行う光走査装置１１７０は、帯電ローラ１１１０と現像装置１１３０との間において感光体１１００の光走査を行うようになっている。
【００６０】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【００６１】
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂「ネガ潜像」であって画像部が露光されている。
【００６２】
「画像の書き込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【００６３】
転写紙Ｓを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００６４】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像が静電転写される。転写ローラ１１４Ｂは、転写時に転写紙Ｓをカラー画像に押圧させる。
【００６５】
カラー画像が転写された転写紙Ｓは定着装置１１６０へ送られ、定着装置１１６０においてカラー画像が定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
【００６６】
勿論、本発明は上述した画像形成装置の態様に何ら限定されるものではなく、「モノクロームの画像形成を行うように構成」できること、「各色ごとの画像形成ユニットを備えたタンデム構成」にできること等、周知慣用の画像形成方法に適宜置換・変更できることは言うまでもない。
【００６７】
以上説明した読取レンズ、画像読取装置及び画像形成装置によれば、レンズの構成枚数を６枚構成とし、前記式（１）乃至（４）をいずれも満足することで、半画角が約２３゜を超える広画角において、良好に像面湾曲補正がなされ、Ｆナンバを５．２と大口径であるにも関わらず、開口効率が周辺部まで１００％に近く、かつ緒収差も良好に補正され高空間周波数領域で高いコントラストの良好な性能を得ることが可能となるばかりでなく、搭載する機械のサイズを小さく抑えることが可能となり、更に光源の投入電力も少なく抑えることが可能となり、本レンズを使用する機器の小型、省電力化にも大きく寄与出来るものであることがわかった。
【符号の説明】
【００６８】
Ｌ１  第１レンズ
Ｌ２  第２レンズ
Ｌ３  第３レンズ
Ｌ４  第４レンズ
Ｌ５  第５レンズ
Ｌ６  第６レンズ
２  コンタクトガラス
６Ｓ  ＣＣＤカバーガラス
８  絞り
【先行技術文献】
【特許文献】
【００６９】
【特許文献１】特開平６−３４２１２０号公報
【特許文献２】特開平８−１４６２９２号公報
【特許文献３】特許２７２９０３９号公報
【特許文献４】特開平９−１７１１３６号公報
【特許文献５】特開平９−３０４６９６号公報
【特許文献６】特開平１０−３３３０２９号公報
【図１】
2012128161.tif 000011
【図２】
2012128161.tif 000012
【図３】
2012128161.tif 000013
【図４】
2012128161.tif 000014
【図５】
2012128161.tif 000015
【図６】
2012128161.tif 000016
【図７】
2012128161.tif 000017
【図８】
2012128161.tif 000018
【図９】
2012128161.tif 000019
【図１０】
2012128161.tif 000020
【図１１】
2012128161.tif 000021
【図１２】
2012128161.tif 000022